【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
第１端末と第２端末のそれぞれと通信ネットワークを介して接続したサーバであって、
素材の加工条件と、当該素材を加工して生産された製品の当該加工条件に対する遵守率に応じた当該製品の回収条件と、を含むリサイクル保証情報を上記第１端末から受信する手段と、
上記受信したリサイクル保証情報を、当該リサイクル保証情報を識別する保証番号と共に蓄積する保証情報蓄積部と、
上記保証番号を上記第２端末から受信し、上記保証情報蓄積部を検索して当該受信した保証番号と共に蓄積されている加工条件と回収条件とを抽出し、当該抽出した加工条件と回収条件とを上記第２端末に表示させる手段と、
上記表示させた加工条件の中から選択された加工条件を加工情報として上記第２端末から受信し、上記表示させた加工条件と上記受信した加工情報を用いて当該加工条件に対する上記製品の遵守率を算出し、上記保証情報蓄積部に蓄積されている当該算出した遵守率に応じた回収条件を上記第２端末に表示させる手段と、を有してなることを特徴とするリサイクル保証サーバ。
【請求項２】
第１端末と第２端末と第３端末のそれぞれと通信ネットワークを介して接続したサーバであって、
素材の加工条件と、当該素材を加工して生産された製品の当該加工条件に対する遵守率に応じた当該製品の回収条件と、を含むリサイクル保証情報を上記第１端末から受信する手段と、
上記受信したリサイクル保証情報を、当該リサイクル保証情報を識別する保証番号と共に蓄積する保証情報蓄積部と、
上記保証番号を上記第２端末から受信し、上記保証情報蓄積部を検索して当該受信した保証番号と共に蓄積されている加工条件と回収条件とを抽出し、当該抽出した加工条件と回収条件とを上記第２端末に表示させる手段と、
上記表示させた加工条件の中から選択された加工条件を加工情報として上記第２端末から受信し、当該受信した加工情報を上記表示させた加工条件と関連付けて上記保証情報蓄積部に蓄積する手段と、
上記保証番号を上記第３端末から受信し、上記保証情報蓄積部を検索して当該受信した保証番号と共に蓄積されている加工条件と当該加工条件と関連付けて蓄積されている加工情報とを抽出し、当該抽出した加工条件と加工情報とを上記第３端末に表示させる手段と、を有してなることを特徴とするリサイクル保証サーバ。
【請求項３】
製品の回収条件には、製品の回収費用に関する条件が含まれていて、
製品を構成する素材の重量を第２端末から受信して、上記製品の回収費用の割引分としてデポジットされる金額を算出し、保証番号と関連付けて保証情報蓄積部に蓄積する手段と、
上記保証番号を第３端末から受信し、上記保証情報蓄積部を検索して当該受信した保証番号と関連付けて蓄積されている上記算出された金額を抽出し、当該抽出した金額を上記第３端末に表示させる手段と、
をさらに備えた請求項２記載のリサイクル保証サーバ。
【請求項４】
第１端末と第２端末と第３端末のそれぞれと通信ネットワークを介して接続したサーバであって、
素材の加工条件と当該素材を加工して生産される製品の使用条件とを含む保証条件と、当該素材を加工して生産された製品の当該保証条件に対する遵守率に応じた当該製品の回収条件と、を含むリサイクル保証情報を上記第１端末から受信する手段と、
上記受信したリサイクル保証情報を、当該リサイクル保証情報を識別する保証番号と共に蓄積する保証情報蓄積部と、
上記保証番号を上記第２端末から受信し、上記保証情報蓄積部を検索して当該受信した保証番号と共に蓄積されている保証条件を抽出し、当該抽出した保証条件を上記第２端末に表示させる手段と、
上記表示させた保証条件の中から選択された保証条件を加工情報として上記第２端末から受信し、当該受信した加工情報を上記表示させた保証条件と関連付けて上記保証情報蓄積部に蓄積する手段と、
上記保証番号を上記第３端末から受信し、上記保証情報蓄積部を検索して当該受信した保証番号と共に蓄積されている保証条件を抽出し、当該抽出した保証条件を上記第３端末に表示させる手段と、
上記表示させた保証条件の中から選択された保証条件を使用情報として上記第３端末から受信し、上記保証情報蓄積部を検索して上記受信した保証番号と共に蓄積されている保証条件と当該保証条件と関連付けて蓄積されている加工情報とを抽出し、当該抽出した保証条件と抽出した加工情報と上記受信した使用情報とを用いて当該保証条件に対する上記製品の遵守率を算出し、上記保証情報蓄積部に蓄積されている当該算出した遵守率に応じた回収条件を上記第３端末に表示させる手段と、を有してなることを特徴とするリサイクル保証サーバ。
【請求項５】
第１端末と第２端末と第３端末と第４端末のそれぞれと通信ネットワークを介して接続したサーバであって、
素材の加工条件と当該素材を加工して生産される製品の使用条件とを含む保証条件と、当該素材を加工して生産された製品の当該保証条件に対する遵守率に応じた当該製品の回収条件と、を含むリサイクル保証情報を上記第１端末から受信する手段と、
上記受信したリサイクル保証情報を、当該リサイクル保証情報を識別する保証番号と共に蓄積する保証情報蓄積部と、
上記保証番号を上記第２端末から受信し、上記保証情報蓄積部を検索して当該受信した保証番号と共に蓄積されている保証条件を抽出し、当該抽出した保証条件を上記第２端末に表示させる手段と、
上記表示させた保証条件の中から選択された保証条件を加工情報として上記第２端末から受信し、当該受信した加工情報を上記表示させた保証条件と関連付けて上記保証情報蓄積部に蓄積する手段と、
上記保証番号を上記第３端末から受信し、上記保証情報蓄積部を検索して当該受信した保証番号と共に蓄積されている保証条件を抽出し、当該抽出した保証条件を上記第３端末に表示させる手段と、
上記表示させた保証条件の中から選択された保証条件を使用情報として上記第３端末から受信し、当該受信した使用情報を上記抽出した保証条件と関連付けて上記保証情報蓄積部に蓄積する手段と、
上記保証番号を上記第４端末から受信し、上記保証情報蓄積部を検索して当該受信した保証番号と共に蓄積されている保証条件と当該保証条件と関連付けて蓄積されている加工情報と使用情報とを抽出し、当該抽出した保証条件と加工情報と使用情報とを上記第４端末に表示させる手段と、を有してなることを特徴とするリサイクル保証サーバ。
【請求項６】
製品の回収条件には、製品の回収費用に関する条件が含まれていて、
製品を構成する素材の重量を第２端末から受信して、上記製品の回収費用の割引分としてデポジットされる金額を算出し、保証番号と関連付けて保証情報蓄積部に蓄積する手段と、
上記保証番号を第４端末から受信し、上記保証情報蓄積部を検索して当該受信した保証番号と関連付けて蓄積されている上記算出された金額を抽出し、当該抽出した金額を上記第４端末に表示させる手段と、
をさらに備えた請求項５記載のリサイクル保証サーバ。
【請求項７】
抽出した加工条件と加工情報とを用いて当該加工条件に対する製品の遵守率を算出し、保証情報蓄積部に蓄積されている当該算出した遵守率に応じた回収条件を第３端末に表示させる手段、をさらに有する請求項２記載のリサイクル保証サーバ。
【請求項８】
抽出した保証条件と加工情報と使用情報とを用いて当該保証条件に対する製品の遵守率を算出し、保証情報蓄積部に蓄積されている当該算出した遵守率に応じた回収条件を第４端末に表示させる手段、をさらに有する請求項５記載のリサイクル保証サーバ。
【請求項９】
保証番号を発行する手段と、
上記発行した保証番号を第１端末に表示させる手段と、をさらに有する請求項１乃至８のいずれかに記載のリサイクル保証サーバ。
【請求項１０】
保証番号を第１端末から受信する手段をさらに有する請求項１乃至８のいずれかに記載のリサイクル保証サーバ。
【請求項１１】
素材の販売者の端末と通信ネットワークを介して接続し、
保証番号を発行する手段と、
上記発行した保証番号を、上記素材の販売者の端末に表示させる手段をさらに有する請求項１乃至８のいずれかに記載のリサイクル保証サーバ。
【請求項１２】
素材の販売者の端末と通信ネットワークを介して接続し、
保証番号を上記素材の販売者の端末から受信する手段をさらに有する請求項１乃至８のいずれかに記載のリサイクル保証サーバ。
【請求項１３】
素材は木質系素材で、当該素材を加工して生産される製品は家具である請求項１乃至１２のいずれかに記載のリサイクル保証サーバ。
【請求項１４】
素材はポリエチレンテレフタレートで、当該素材を加工して生産される製品はボトルである請求項１乃至１２のいずれかに記載のリサイクル保証サーバ。
【請求項１５】
第１端末と第２端末のそれぞれと通信ネットワークを介して接続したサーバによる製品のリサイクル保証の方法であって、
上記サーバが、素材の加工条件と、当該素材を加工して生産された製品の当該加工条件に対する遵守率に応じた当該製品の回収条件と、を含むリサイクル保証情報を上記第１端末から受信するステップと、
上記サーバが、上記受信したリサイクル保証情報を、当該リサイクル保証情報を識別する保証番号と共に保証情報蓄積部に蓄積するステップと、
上記サーバが、上記保証番号を上記第２端末から受信し、上記保証情報蓄積部を検索して当該受信した保証番号と共に蓄積されている加工条件と回収条件とを抽出し、当該抽出した加工条件と回収条件とを上記第２端末に表示させるステップと、
上記サーバが、上記表示させた加工条件の中から選択された加工条件を加工情報として上記第２端末から受信し、上記表示させた加工条件と上記受信した加工情報を用いて当該加工条件に対する上記製品の遵守率を算出し、上記保証情報蓄積部に蓄積されている当該算出した遵守率に応じた回収条件を上記第２端末に表示させるステップと、を有してなることを特徴とするリサイクル保証方法。
【請求項１６】
第１端末と第２端末と第３端末のそれぞれと通信ネットワークを介して接続したサーバによる製品のリサイクル保証の方法であって、
上記サーバが、素材の加工条件と、当該素材を加工して生産された製品の当該加工条件に対する遵守率に応じた当該製品の回収条件と、を含むリサイクル保証情報を上記第１端末から受信するステップと、
上記サーバが、上記受信したリサイクル保証情報を、当該リサイクル保証情報を識別する保証番号と共に保証情報蓄積部に蓄積するステップと、
上記サーバが、上記保証番号を上記第２端末から受信し、上記保証情報蓄積部を検索して当該受信した保証番号と共に蓄積されている加工条件と回収条件とを抽出し、当該抽出した加工条件と回収条件とを上記第２端末に表示させるステップと、
上記サーバが、上記表示させた加工条件の中から選択された加工条件を加工情報として上記第２端末から受信し、当該受信した加工情報を上記表示させた加工条件と関連付けて上記保証情報蓄積部に蓄積するステップと、
上記サーバが、上記保証番号を上記第３端末から受信し、上記保証情報蓄積部を検索して当該受信した保証番号と共に蓄積されている加工条件と当該加工条件と関連付けて蓄積されている加工情報とを抽出し、当該抽出した加工条件と加工情報とを上記第３端末に表示させるステップと、を有してなることを特徴とするリサイクル保証方法。
【請求項１７】
製品の回収条件には、製品の回収費用に関する条件が含まれていて、
サーバが、製品を構成する素材の重量を第２端末から受信して、上記製品の回収費用の割引分としてデポジットされる金額を算出し、保証番号と関連付けて保証情報蓄積部に蓄積するステップと、
上記サーバが、上記保証番号を第３端末から受信し、上記保証情報蓄積部を検索して当該受信した保証番号と関連付けて蓄積されている上記算出された金額を抽出し、当該抽出した金額を上記第３端末に表示させるステップと、
をさらに備えた請求項１６記載のリサイクル保証方法。
【請求項１８】
第１端末と第２端末と第３端末のそれぞれと通信ネットワークを介して接続したサーバによる製品のリサイクル保証の方法であって、
上記サーバが、素材の加工条件と当該素材を加工して生産される製品の使用条件とを含む保証条件と、当該素材を加工して生産された製品の当該保証条件に対する遵守率に応じた当該製品の回収条件と、を含むリサイクル保証情報を上記第１端末から受信するステップと、
上記サーバが、上記受信したリサイクル保証情報を、当該リサイクル保証情報を識別する保証番号と共に保証情報蓄積部に蓄積するステップと、
上記サーバが、上記保証番号を上記第２端末から受信し、上記保証情報蓄積部を検索して当該受信した保証番号と共に蓄積されている保証条件を抽出し、当該抽出した保証条件を上記第２端末に表示させるステップと、
上記サーバが、上記表示させた保証条件の中から選択された保証条件を加工情報として上記第２端末から受信し、当該受信した加工情報を上記表示させた保証条件と関連付けて上記保証情報蓄積部に蓄積するステップと、
上記サーバが、上記保証番号を上記第３端末から受信し、上記保証情報蓄積部を検索して当該受信した保証番号と共に蓄積されている保証条件を抽出し、当該抽出した保証条件を上記第３端末に表示させるステップと、
上記サーバが、上記表示させた保証条件の中から選択された保証条件を使用情報として上記第３端末から受信し、上記保証情報蓄積部を検索して上記受信した保証番号と共に蓄積されている保証条件と当該保証条件と関連付けて蓄積されている加工情報とを抽出し、当該抽出した保証条件と抽出した加工情報と上記受信した使用情報とを用いて当該保証条件に対する上記製品の遵守率を算出し、上記保証情報蓄積部に蓄積されている当該算出した遵守率に応じた回収条件を上記第３端末に表示させるステップと、を有してなることを特徴とするリサイクル保証方法。
【請求項１９】
第１端末と第２端末と第３端末と第４端末のそれぞれと通信ネットワークを介して接続したサーバによる製品のリサイクル保証の方法であって、
上記サーバが、素材の加工条件と当該素材を加工して生産される製品の使用条件とを含む保証条件と、当該素材を加工して生産された製品の当該保証条件に対する遵守率に応じた当該製品の回収条件と、を含むリサイクル保証情報を上記第１端末から受信するステップと、
上記サーバが、上記受信したリサイクル保証情報を、当該リサイクル保証情報を識別する保証番号と共に保証情報蓄積部に蓄積するステップと、
上記サーバが、上記保証番号を上記第２端末から受信し、上記保証情報蓄積部を検索して当該受信した保証番号と共に蓄積されている保証条件を抽出し、当該抽出した保証条件を上記第２端末に表示させるステップと、
上記サーバが、上記表示させた保証条件の中から選択された保証条件を加工情報として上記第２端末から受信し、当該受信した加工情報を上記表示させた保証条件と関連付けて上記保証情報蓄積部に蓄積するステップと、
上記サーバが、上記保証番号を上記第３端末から受信し、上記保証情報蓄積部を検索して当該受信した保証番号と共に蓄積されている保証条件を抽出し、当該抽出した保証条件を上記第３端末に表示させるステップと、
上記サーバが、上記表示させた保証条件の中から選択された保証条件を使用情報として上記第３端末から受信し、当該受信した使用情報を上記抽出した保証条件と関連付けて上記保証情報蓄積部に蓄積するステップと、
上記サーバが、上記保証番号を上記第４端末から受信し、上記保証情報蓄積部を検索して当該受信した保証番号と共に蓄積されている保証条件と当該保証条件と関連付けて蓄積されている加工情報と使用情報とを抽出し、当該抽出した保証条件と加工情報と使用情報とを上記第４端末に表示させるステップと、を有してなることを特徴とするリサイクル保証方法。
【請求項２０】
製品の回収条件には、製品の回収費用に関する条件が含まれていて、
サーバが、製品を構成する素材の重量を第２端末から受信して、上記製品の回収費用の割引分としてデポジットされる金額を算出し、保証番号と関連付けて保証情報蓄積部に蓄積するステップと、
上記サーバが、上記保証番号を第４端末から受信し、上記保証情報蓄積部を検索して当該受信した保証番号と関連付けて蓄積されている上記算出された金額を抽出し、当該抽出した金額を上記第４端末に表示させるステップと、
をさらに備えた請求項１９記載のリサイクル保証方法。
【請求項２１】
サーバが、抽出した加工条件と加工情報とを用いて当該加工条件に対する製品の遵守率を算出し、保証情報蓄積部に蓄積されている当該算出した遵守率に応じた回収条件を第３端末に表示させるステップ、をさらに有する請求項１６記載のリサイクル保証方法。
【請求項２２】
サーバが、抽出した保証条件と加工情報と使用情報とを用いて当該保証条件に対する製品の遵守率を算出し、保証情報蓄積部に蓄積されている当該算出した遵守率に応じた回収条件を第４端末に表示させるステップ、をさらに有する請求項１９記載のリサイクル保証方法。
【請求項２３】
サーバが、保証番号を発行するステップと、
上記サーバが、上記発行した保証番号を第１端末に表示させるステップと、をさらに有する請求項１５乃至２２のいずれかに記載のリサイクル保証方法。
【請求項２４】
サーバが、保証番号を第１端末から受信するステップ、をさらに有する請求項１５乃至２２のいずれかに記載のリサイクル保証方法。
【請求項２５】
サーバが、素材の販売者の端末と通信ネットワークを介して接続し、
上記サーバが、保証番号を発行するステップと、
上記サーバが、上記発行した保証番号を上記素材の販売者の端末に表示させるステップ、をさらに有する請求項１５乃至２２のいずれかに記載のリサイクル保証方法。
【請求項２６】
サーバが、素材の販売者の端末と通信ネットワークを介して接続し、
上記サーバが、保証番号を上記素材の販売者の端末から受信するステップ、をさらに有する請求項１５乃至２２のいずれかに記載のリサイクル保証方法。
【請求項２７】
素材は木質系素材で、当該素材を加工して生産される製品は家具である請求項１５乃至２６のいずれかに記載のリサイクル保証方法。
【請求項２８】
素材はポリエチレンテレフタレートで、当該素材を加工して生産される製品はボトルである請求項１５乃至２６のいずれかに記載のリサイクル保証方法。
【請求項２９】
コンピュータを、請求項１乃至１４のいずれかに記載のリサイクル保証サーバとして機能させることを特徴とするリサイクル保証プログラム。
【請求項３０】
コンピュータプログラムを記録した記録媒体であって、
上記コンピュータプログラムは、請求項２９記載のリサイクル保証プログラムであることを特徴とするコンピュータ読取可能な記録媒体。
【請求項３１】
第１端末と第２端末と第３端末のそれぞれと通信ネットワークを介して接続したサーバであって、
素材の加工条件と、当該素材を加工して生産された製品の当該加工条件に対する遵守率に応じた当該製品の回収条件と、を含むリサイクル保証情報を上記第１端末から受信し、当該受信したリサイクル保証情報を識別する保証情報識別子を発行し、当該発行した保証情報識別子を上記第１端末に表示させる手段と、
上記受信したリサイクル保証情報を、上記発行した保証情報識別子と共に蓄積する保証情報蓄積部と、
上記保証情報識別子を上記第２端末から受信し、上記保証情報蓄積部を検索して当該受信した保証情報識別子と共に蓄積されている加工条件を抽出し、当該抽出した加工条件を上記第２端末に表示させる手段と、
上記表示させた加工条件の中から選択された加工条件を上記製品の加工情報として上記第２端末から受信し、上記製品に付される保証番号を発行し、当該発行した保証番号を上記第２端末に表示させる手段と、
上記受信した製品の加工情報と上記発行した保証番号とを、上記表示させた加工条件と関連付けて上記保証情報蓄積部に蓄積する手段と、
上記保証番号を上記第３端末から受信し、上記保証情報蓄積部を検索して当該受信した保証番号と関連付けて蓄積されている上記加工条件と製品の加工情報とを抽出し、当該抽出した加工条件と製品の加工情報とを上記第３端末に表示させる手段と、を有してなることを特徴とするリサイクル保証サーバ。
【請求項３２】
製品の回収条件には、製品の回収費用に関する条件が含まれていて、
製品を構成する素材の重量を第２端末から受信して、上記製品の回収費用の割引分としてデポジットされる金額を算出し、保証番号と関連付けて保証情報蓄積部に蓄積する手段と、
上記保証番号を第３端末から受信し、上記保証情報蓄積部を検索して当該受信した保証番号と関連付けて蓄積されている上記算出された金額を抽出し、当該抽出した金額を上記第３端末に表示させる手段と、
をさらに備えた請求項３１記載のリサイクル保証サーバ。
【請求項３３】
第１端末と第２端末と第３端末のそれぞれと通信ネットワークを介して接続したサーバであって、
素材の加工条件と、当該素材を加工して生産された製品の当該加工条件に対する遵守率に応じた当該製品の回収条件と、を含むリサイクル保証情報を上記第１端末から受信し、当該受信したリサイクル保証情報を識別する保証情報識別子を発行し、当該発行した保証情報識別子を上記第１端末に表示させる手段と、
上記受信したリサイクル保証情報を、上記発行した保証情報識別子と共に蓄積する保証情報蓄積部と、
上記保証情報識別子を上記第２端末から受信し、上記保証情報蓄積部を検索して当該受信した保証情報識別子と共に蓄積されている加工条件を抽出し、当該抽出した加工条件を上記第２端末に表示させる手段と、
上記表示させた加工条件の中から選択された加工条件を上記製品の加工情報として上記第２端末から受信し、上記製品に付される保証番号を発行し、当該発行した保証番号を上記第２端末に表示させる手段と、
上記受信した製品の加工情報と上記発行した保証番号とを、上記保証情報識別子と関連付けて上記保証情報蓄積部に蓄積する手段と、
上記保証番号を上記第３端末から受信し、上記保証情報蓄積部を検索して当該受信した保証番号と関連付けて蓄積されている上記加工条件と製品の加工情報とを抽出し、当該抽出した加工条件と製品の加工情報とを用いて当該加工条件に対する上記製品の遵守率を算出し、上記保証情報蓄積部に蓄積されている当該算出した遵守率に応じた上記製品の回収条件を上記第３端末に表示させる手段と、を有してなることを特徴とするリサイクル保証サーバ。
【請求項３４】
第１端末と第２端末と第３端末と第４端末のそれぞれと通信ネットワークを介して接続したサーバであって、
素材の加工条件と当該素材を加工して生産される製品の使用条件とを含む保証条件と、当該素材を加工して生産された製品の当該保証条件に対する遵守率に応じた当該製品の回収条件と、を含むリサイクル保証情報を上記第１端末から受信し、当該受信したリサイクル保証情報を識別する保証情報識別子を発行し、当該発行した保証情報識別子を上記第１端末に表示させる手段と、
上記受信したリサイクル保証情報を、上記発行した保証情報識別子と共に蓄積する保証情報蓄積部と、
上記保証情報識別子を上記第２端末から受信し、上記保証情報蓄積部を検索して当該受信した保証情報識別子と共に蓄積されている保証条件を抽出し、当該抽出した保証条件を上記第２端末に表示させる手段と、
上記表示させた保証条件の中から選択された保証条件を上記製品の加工情報として上記第２端末から受信し、上記製品に付される保証番号を発行し、当該発行した保証番号を上記第２端末に表示させる手段と、
上記受信した製品の加工情報と上記発行した保証番号とを、上記保証情報識別子と関連付けて上記保証情報蓄積部に蓄積する手段と、
上記保証番号を上記第３端末から受信し、上記保証情報蓄積部を検索して当該受信した保証番号と関連付けて蓄積されている保証条件を抽出し、当該抽出した保証条件を上記第３端末に表示させる手段と、
上記表示させた保証条件の中から選択された保証条件を上記製品の使用情報として上記第３端末から受信し、上記保証番号と関連づけて上記保証情報蓄積部に蓄積する手段と、
上記保証番号を上記第４端末から受信し、上記保証情報蓄積部を検索して当該受信した保証番号と関連付けて蓄積されている上記保証条件と製品の加工情報と製品の使用情報とを抽出し、当該抽出した保証条件と製品の加工情報と製品の使用情報とを用いて当該保証条件に対する上記製品の遵守率を算出し、上記保証情報蓄積部に蓄積されている当該算出した遵守率に応じた上記製品の回収条件を上記第４端末に表示させる手段と、を有してなることを特徴とするリサイクル保証サーバ。
【請求項３５】
製品の回収条件には、製品の回収費用に関する条件が含まれていて、
製品を構成する素材の重量を第２端末から受信して、上記製品の回収費用の割引分としてデポジットされる金額を算出し、保証番号と関連付けて保証情報蓄積部に蓄積する手段と、
上記保証番号を第４端末から受信し、上記保証情報蓄積部を検索して当該受信した保証番号と関連付けて蓄積されている上記算出された金額を抽出し、当該抽出した金額を上記第４端末に表示させる手段と、
をさらに備えた請求項３４記載のリサイクル保証サーバ。
【請求項３６】
素材は木質系素材で、当該素材を加工して生産される製品は家具である請求項３１乃至３５のいずれかに記載のリサイクル保証サーバ。
【請求項３７】
素材はポリエチレンテレフタレートで、当該素材を加工して生産される製品はボトルである請求項３１乃至３５のいずれかに記載のリサイクル保証サーバ。
【請求項３８】
コンピュータを、請求項３１乃至３７のいずれかに記載のリサイクル保証サーバとして機能させることを特徴とするリサイクル保証プログラム。
【請求項３９】
コンピュータプログラムを記録した記録媒体であって、
上記コンピュータプログラムは、請求項３８記載のリサイクル保証プログラムであることを特徴とするコンピュータ読取可能な記録媒体。
【請求項４０】
第１端末と第２端末と第３端末のそれぞれと通信ネットワークを介して接続したサーバによる製品のリサイクル保証の方法であって、
上記サーバが、素材の加工条件と、当該素材を加工して生産された製品の当該加工条件に対する遵守率に応じた当該製品の回収条件と、を含むリサイクル保証情報を上記第１端末から受信し、当該受信したリサイクル保証情報を識別する保証情報識別子を発行し、当該発行した保証情報識別子を上記第１端末に表示させるステップと、
上記サーバが、上記受信したリサイクル保証情報を、上記発行した保証情報識別子と共に保証情報蓄積部に蓄積するステップと、
上記サーバが、上記保証情報識別子を上記第２端末から受信し、上記保証情報蓄積部を検索して当該受信した保証情報識別子と共に蓄積されている加工条件を抽出し、当該抽出した加工条件を上記第２端末に表示させるステップと、
上記サーバが、上記表示させた加工条件の中から選択された加工条件を上記製品の加工情報として上記第２端末から受信し、上記製品に付される保証番号を発行し、当該発行した保証番号を上記第２端末に表示させるステップと、
上記サーバが、上記受信した製品の加工情報と上記発行した保証番号とを、上記表示させた加工条件と関連付けて上記保証情報蓄積部に蓄積するステップと、
上記サーバが、上記保証番号を上記第３端末から受信し、上記保証情報蓄積部を検索して当該受信した保証番号と関連付けて蓄積されている上記加工条件と製品の加工情報とを抽出し、当該抽出した加工条件と製品の加工情報とを上記第３端末に表示させるステップと、を有してなることを特徴とするリサイクル保証方法。
【請求項４１】
製品の回収条件には、製品の回収費用に関する条件が含まれていて、
サーバが、製品を構成する素材の重量を第２端末から受信して、上記製品の回収費用の割引分としてデポジットされる金額を算出し、保証番号と関連付けて保証情報蓄積部に蓄積するステップと、
上記サーバが、上記保証番号を第３端末から受信し、上記保証情報蓄積部を検索して当該受信した保証番号と関連付けて蓄積されている上記算出された金額を抽出し、当該抽出した金額を上記第３端末に表示させるステップと、
をさらに備えた請求項４０記載のリサイクル保証方法。
【請求項４２】
第１端末と第２端末と第３端末のそれぞれと通信ネットワークを介して接続したサーバによる製品のリサイクル保証の方法であって、
上記サーバが、素材の加工条件と、当該素材を加工して生産された製品の当該加工条件に対する遵守率に応じた当該製品の回収条件と、を含むリサイクル保証情報を上記第１端末から受信し、当該受信したリサイクル保証情報を識別する保証情報識別子を発行し、当該発行した保証情報識別子を上記第１端末に表示させるステップと、
上記サーバが、上記受信したリサイクル保証情報を、上記発行した保証情報識別子と共に保証情報蓄積部に蓄積するステップと、
上記サーバが、上記保証情報識別子を上記第２端末から受信し、上記保証情報蓄積部を検索して当該受信した保証情報識別子と共に蓄積されている加工条件を抽出し、当該抽出した加工条件を上記第２端末に表示させるステップと、
上記サーバが、上記表示させた加工条件の中から選択された加工条件を上記製品の加工情報として上記第２端末から受信し、上記製品に付される保証番号を発行し、当該発行した保証番号を上記第２端末に表示させるステップと、
上記サーバが、上記受信した製品の加工情報と上記発行した保証番号とを、上記保証情報識別子と関連付けて上記保証情報蓄積部に蓄積するステップと、
上記サーバが、上記保証番号を上記第３端末から受信し、上記保証情報蓄積部を検索して当該受信した保証番号と関連付けて蓄積されている上記加工条件と製品の加工情報とを抽出し、当該抽出した加工条件と製品の加工情報とを用いて当該加工条件に対する上記製品の遵守率を算出し、上記保証情報蓄積部に蓄積されている当該算出した遵守率に応じた上記製品の回収条件を上記第３端末に表示させるステップと、を有してなることを特徴とするリサイクル保証方法。
【請求項４３】
第１端末と第２端末と第３端末と第４端末のそれぞれと通信ネットワークを介して接続したサーバによる製品のリサイクル保証の方法であって、
上記サーバが、素材の加工条件と当該素材を加工して生産される製品の使用条件とを含む保証条件と、当該素材を加工して生産された製品の当該保証条件に対する遵守率に応じた当該製品の回収条件と、を含むリサイクル保証情報を上記第１端末から受信し、当該受信したリサイクル保証情報を識別する保証情報識別子を発行し、当該発行した保証情報識別子を上記第１端末に表示させるステップと、
上記サーバが、上記受信したリサイクル保証情報を、上記発行した保証情報識別子と共に保証情報蓄積部に蓄積するステップと、
上記サーバが、上記保証情報識別子を上記第２端末から受信し、上記保証情報蓄積部を検索して当該受信した保証情報識別子と共に蓄積されている保証条件を抽出し、当該抽出した保証条件を上記第２端末に表示させるステップと、
上記サーバが、上記表示させた保証条件の中から選択された保証条件を上記製品の加工情報として上記第２端末から受信し、上記製品に付される保証番号を発行し、当該発行した保証番号を上記第２端末に表示させるステップと、
上記サーバが、上記受信した製品の加工情報と上記発行した保証番号とを、上記保証情報識別子と関連付けて上記保証情報蓄積部に蓄積するステップと、
上記サーバが、上記保証番号を上記第３端末から受信し、上記保証情報蓄積部を検索して当該受信した保証番号と関連付けて蓄積されている保証条件を抽出し、当該抽出した保証条件を上記第３端末に表示させるステップと、
上記サーバが、上記表示させた保証条件の中から選択された保証条件を上記製品の使用情報として上記第３端末から受信し、上記保証番号と関連づけて上記保証情報蓄積部に蓄積するステップと、
上記サーバが、上記保証番号を上記第４端末から受信し、上記保証情報蓄積部を検索して当該受信した保証番号と関連付けて蓄積されている上記保証条件と製品の加工情報と製品の使用情報とを抽出し、当該抽出した保証条件と製品の加工情報と製品の使用情報とを用いて当該保証条件に対する上記製品の遵守率を算出し、上記保証情報蓄積部に蓄積されている当該算出した遵守率に応じた上記製品の回収条件を上記第４端末に表示させるステップと、を有してなることを特徴とするリサイクル保証方法。
【請求項４４】
製品の回収条件には、製品の回収費用に関する条件が含まれていて、
サーバが、製品を構成する素材の重量を第２端末から受信して、上記製品の回収費用の割引分としてデポジットされる金額を算出し、保証番号と関連付けて保証情報蓄積部に蓄積するステップと、
上記サーバが、上記保証番号を第４端末から受信し、上記保証情報蓄積部を検索して当該受信した保証番号と関連付けて蓄積されている上記算出された金額を抽出し、当該抽出した金額を上記第４端末に表示させるステップと、
をさらに備えた請求項４３記載のリサイクル保証方法。
【請求項４５】
素材は木質系素材で、当該素材を加工して生産される製品は家具である請求項４０乃至４４のいずれかに記載のリサイクル保証方法。
【請求項４６】
素材はポリエチレンテレフタレートで、当該素材を加工して生産される製品はボトルである請求項４０乃至４４のいずれかに記載のリサイクル保証方法。